(57)【要約】【課題】  人の指でマッサージするようなマッサージ感を水流により得ることができて入浴しながら効果的なマッサージが行える。【解決手段】  浴槽１に、入浴者Ｍの身体の一部に水流を間欠的に噴出するための噴出口２を設け、水流の間欠的な噴出の際に該間欠噴出区間の少なくとも一部における水流の流速を次第に速く又は次第に遅くなるようにするための流速可変手段３を設ける。【選択図】        図１
2006325993.tif 000002
【特許請求の範囲】
【請求項１】
浴槽に、入浴者の身体の一部に水流を間欠的に噴出するための噴出口を設け、水流の間欠的な噴出の際に該間欠噴出区間の少なくとも一部における水流の流速を次第に速く又は次第に遅くなるようにするための流速可変手段を設けて成ることを特徴とする水流噴出装置。
【請求項２】
水流を噴出する間欠噴出区間の始めにゆっくりと噴出を開始して次第に流速を速くすることを特徴とする請求項１記載の水流噴出装置。
【請求項３】
水流を噴出する間欠噴出区間の終わりに次第に流速が遅くなってゆっくりと噴出が止まることを特徴とする請求項１記載の水流噴出装置。
【請求項４】
水流を噴出する間欠噴出区間の始めにゆっくりと噴出を開始して次第に流速が速くなり、最大流速に達した時点をピークとして次第に流速が遅くなってゆっくりと噴出が止まることを特徴とする請求項１記載の水流噴出装置。
【請求項５】
水流を噴出する間欠噴出区間の始めにゆっくりと噴出を開始して次第に流速が速くなり、最大流速に達すると該最大流速を一定時間継続し、最大流速を一定時間継続した後に次第に流速が遅くなってゆっくりと噴出が止まることを特徴とする請求項１記載の水流噴出装置。
【請求項６】
上記流速可変手段を、ポンプと噴出口との間に設けた電動弁により構成し、該電動弁を、弁本体に設けた孔に嵌め込まれてモータにより回動する回動弁体と、回動弁体に設けた水の供給用の弁口と、孔の壁面における弁口の回動軌跡の一部に対応する位置に設けた上記流出口とで構成し、回動弁体の回動により弁口と流出口との連通状態が変化するものであることを特徴とする請求項４又は請求項５記載の水流噴出装置。
【請求項７】
入浴者の身体の異なる部位にそれぞれ水流を間欠的に噴出するための複数の噴出口を浴槽に設け、上記弁本体の孔の壁面における弁口の回動軌跡の複数箇所に対応する位置に複数の流出口を隔設し、弁口の周方向の長さを周方向に隣接する流出口間の周方向の長さよりも長くして成ることを特徴とする請求項６記載の水流噴出装置。
【発明の詳細な説明】
【技術分野】
【０００１】
本発明は、入浴しながら水流により身体のマッサージができる水流噴出装置に関するものである。
【背景技術】
【０００２】
従来から浴槽に水流（浴水又は気泡入り浴水）を噴出して浴槽に入浴している人に衝突させてマッサージすることが行われている。このような従来例として例えば特許文献１が知られている。
【０００３】
この特許文献１に示された従来例にあっては、浴槽に設けた噴出口から一定方向に水流を噴出させて入浴者の身体の一部に水流を当てるものであり、水流はポンプをオンすることで噴出し、ポンプをオフすることで噴出停止するようになっており、一定の流速の水流を身体の一箇所に連続して当てるようになっている。
【０００４】
しかしながら、このように一定の流速の水流を身体の一箇所に連続して当てるものにおいては、マッサージとしては強弱のめりはりがなく、人の指先でマッサージするようなマッサージ効果を得ることができなかった。
【特許文献１】特開２００３−２５０８５４号公報
【発明の開示】
【発明が解決しようとする課題】
【０００５】
本発明は上記の点に鑑みなされたものであって、その目的とするところは、人の指でマッサージするようなマッサージ感を水流により得ることができて入浴しながら効果的なマッサージが行える水流噴出装置を提供することにある。
【課題を解決するための手段】
【０００６】
上記課題を解決するために本発明にあっては、浴槽１に、入浴者Ｍの身体の一部に水流を間欠的に噴出するための噴出口２を設け、水流の間欠的な噴出の際に該間欠噴出区間の少なくとも一部における水流の流速を次第に速く又は次第に遅くなるようにするための流速可変手段３を設けて成ることを特徴とするものである。
【０００７】
このような構成とすることで、入浴者Ｍの身体の一部に水流を間欠的に当てて身体の一部をめりはりのあるマッサージができ、特に、水流の間欠的な噴出の際に該間欠噴出区間の少なくとも一部における水流の流速を次第に速く又は次第に遅くなることで、指で身体の一部を押しモミするようなマッサージ感を水流により得ることができる。
【０００８】
また、水流を噴出する間欠噴出区間の始めにゆっくりと噴出を開始して次第に流速を速くすることが好ましい。
【０００９】
このような構成とすることで、ゆっくりともみ始めて次第に強く揉むという身体を指でマッサージする際のもみ動作と同じような揉み動作を水流により得ることができて効果的なマッサージが実現できる。
【００１０】
また、水流を噴出する間欠噴出区間の終わりに次第に流速が遅くなってゆっくりと噴出が止まるようにすることが好ましい。
【００１１】
このような構成とすることで、次第に押す力を弱めながら揉み終わるという人体を指でマッサージする際の揉み動作の終了と同じような動作を水流により得ることができて効果的なマッサージが実現できる。
【００１２】
また、水流を噴出する間欠噴出区間の始めにゆっくりと噴出を開始して次第に流速が速くなり、最大流速に達した時点をピークとして次第に流速が遅くなってゆっくりと噴出が止まるようにすることが好ましい。
【００１３】
このような構成とすることで、入浴者Ｍの身体の一部に水流を当ててマッサージするに当たり、該当する身体の部位に対して当該部位を指でゆっくりと押して最大の押圧後すぐにゆっくりと引くという指による揉みマッサージと同じ動作を水流を当てて実現でき、より効果的なマッサージが実現できる。
【００１４】
また、水流を噴出する間欠噴出区間の始めにゆっくりと噴出を開始して次第に流速が速くなり、最大流速に達すると該最大流速を一定時間継続し、最大流速を一定時間継続した後に次第に流速が遅くなってゆっくりと噴出が止まるようにすることが好ましい。
【００１５】
このような構成とすることで、入浴者Ｍの身体の一部に水流を当ててマッサージするに当たり、該当する身体の部位に対して当該部位を指でゆっくりと押して最大の押圧に達するとこれを継続しその後ゆっくりと引くという指によるマッサージと同じ動作を水流を当てて実現でき、より効果的なマッサージが実現できる。
【００１６】
また、流速可変手段３を、ポンプ６と噴出口２との間に設けた電動弁７により構成し、該電動弁７を、弁本体８に設けた孔９に嵌め込まれてモータ１０により回動する回動弁体１１と、回動弁体１１に設けた水の供給用の弁口１２と、孔９の壁面における弁口１２の回動軌跡の一部に対応する位置に設けた上記流出口１３とで構成し、回動弁体１１の回動により弁口１２と流出口１３との連通状態が変化するものであることが好ましい。
【００１７】
このような構成とすることで、回動弁体１１を回動して弁口１２と流出口１３との連通と非連通とを繰り返すことで噴出口２から水流を間欠的に噴出することができるだけでなく、回動弁体１１が回動して弁口１２が流出口１３と連通開始する際に連通面積が次第に広くなっていくとともに連通終了の際に連通面積が次第に狭くなっていき、これにより最初はゆっくりと次第に速くなり、最後は次第に遅くなってゆっくりと終了するという水流を噴出口２から噴出して効果的なマッサージが実現できるものである。
【００１８】
また、入浴者Ｍの身体の異なる部位にそれぞれ水流を間欠的に噴出するための複数の噴出口２を浴槽１に設け、上記弁本体８の孔９の壁面における弁口１２の回動軌跡の複数箇所に対応する位置に複数の流出口１３を隔設し、弁口１２の周方向の長さを周方向に隣接する流出口１３間の周方向の長さよりも長くすることが好ましい。
【００１９】
このような構成とすることで、一つのポンプ６から供給される水を複数の流出口１３から順番に繰り返しながら水流を噴出して入浴者Ｍの身体の異なる部位を順番にマッサージでき、しかも、上記異なる部位を水流によりマッサージする際に、ある流出口１３から噴出する水流が次第に遅くなって行く動作に並行して他の流出口１３からゆっくりと水流が噴出し始めて次第に速くなるという動作が行われ、身体の異なる部位を水流でマッサージするに当たって異なる部位のマッサージが途切れることなくめりはりを持たせて連続して行えることになる。
【発明の効果】
【００２０】
本発明にあっては、入浴というリラックスした状態で、入浴者の身体の一部に水流を間欠的に当てて身体の一部を指でを押しモミするようなマッサージ感を水流により得ることができて、効果的なマッサージが実現できる。
【発明を実施するための最良の形態】
【００２１】
以下、本発明を添付図面に示す実施形態に基づいて説明する。
【００２２】
浴槽１は一端部側が入浴者Ｍの足先側が位置する足先配置部１４となり、他端部側が入浴者Ｍの頭部側が位置する頭部配置部１５となっており、ここで、本発明においては、上記足先配置部１４側を後、頭部配置部１５側を前と定義し、足先配置部１４と頭部配置部１５とを結ぶ方向を前後方向（Ｘ方向）と定義している。また、平面視において、足先配置部１４と頭部配置部１５とを結ぶ方向である前後方向と直交する方向を左右方向（Ｙ方向）と定義しており、浴槽１が平面視略長方形状、あるいは平面視略楕円形状をしたものにおいては、浴槽１の長辺と平行な方向が前後方向であり、短辺と平行な方向が左右方向である。
【００２３】
入浴者Ｍが、浴槽１内の一端部側である足先配置部１４側に足先側を位置させ且つ他端部側である頭部配置部１５側に頭部側を位置させるという一般的な浴槽１への入浴姿勢を取って入浴した場合、図１に示すように、入浴者Ｍの臀部を浴槽１の底面部１９の前側端部（頭部配置部１５側の端部）寄りの部分に置いて背中を頭部配置部１５側（前側）の側壁部１６ａに当接又は僅かな隙間をあけて対向させて沿わせると共に、下肢を緩やかにく字状に曲げて足先を足先配置部１４側（後側）の側壁部１６ｂの下部又は底面部１９の足先配置部１４側の端部付近に位置させるという入浴姿勢となるものである。この場合、両碗を身体の両側に自然に沿わせると、両碗は身体の胴部分の両側から両下肢の大腿部に沿って配置される姿勢となる。
【００２４】
ここで頭部配置部１５側（前側）の側壁部１６ａは、入浴者Ｍが上記のような一般的な入浴姿勢を取って、入浴者Ｍの臀部を浴槽１の底面部１９の前側端部（頭部配置部１５側の端部）寄りの部分に置いた場合、背中を沿わせることができるように他の側壁部に比べて緩やかに傾斜している。
【００２５】
上記のような一般的な入浴姿勢で入浴した場合、底面部１９は後側の端部寄りの部位が臀部置き部１７となり、底面部１９の前側端部と上記臀部置き部１７との間の部分の上方が入浴者の下肢が位置する下肢配置部１８となっている。
【００２６】
浴槽１の底面部１９や側壁部１６（前側の側壁部１６ａ、後側の側壁部１６ｂ、左右の側壁部１６ｃ）には浴水又は気泡入り浴水を浴槽１に入って上記のような一般的な入浴姿勢をとって入浴している入浴者Ｍの身体の一部に向けて浴水や気泡入り浴水等の水流を噴出するための噴出口２が設けてある。
【００２７】
また、浴槽１の側壁部１６には浴槽１内の浴水を吸い込むための吸い込み口２０が設けてあり、吸い込み口２０と噴出口２とが循環用水路２１により連通接続してある。該循環用水路２１の途中にはポンプ６が設けてあり、ポンプ６を駆動することで浴槽１内の浴水を吸い込んで噴出口２に供給し、噴出口２から浴槽１内に噴出するようになっている。ここで、図１に示すように循環用水路２１にエジェクター作用により先端が空気取り入れ口２２となった空気供給管２３から空気を吸い込んで浴水に混入して噴出口２から気泡入り浴水を噴出するようにしてもよい。
【００２８】
上記のように噴出口２から浴水又は気泡入りの浴水を浴槽１内に噴出して入浴者Ｍの身体の一部に水流を当ててマッサージするに当たって、本発明においては、噴出口２から水流を間欠的に噴出して身体の一部に当てるようになっており、更に、この場合、水流の間欠的な噴出の際に該間欠噴出区間の少なくとも一部における水流の流速を次第に速く又は次第に遅くなるようにするための流速可変手段３を備えている。
【００２９】
添付図面に示す実施形態では浴槽１の複数箇所に入浴者Ｍの身体の異なる複数箇所に水流を噴出するための複数の噴出口２が設けてある（図１に示す実施形態では３つの噴出口２を１組とし、これを２組設けた例を示してある）。
【００３０】
循環用水路２１にはポンプ６よりも下流側に流速可変手段３を構成する電動弁７が設けてある。循環用水路２１は電動弁７と各噴出口２との間では複数に分岐している。
【００３１】
電動弁７は図４に示すように弁本体８と、弁本体８の孔９に回動自在に嵌め込まれた回動弁体１１と、回動弁体１１を回動するためのモータ１０とより構成してある。
【００３２】
回動弁体１１には一端が軸方向の端部に開口した通水孔２６が設けてあり、通水孔２６の他端は回動弁体１１の側面部に設けた弁口１２に連通している。弁本体８の孔９の壁面における弁口１２の回動軌跡上の複数箇所にそれぞれ対応する位置に複数の流出口１３が設けてある（図４の実施形態には第１の流出口１３ａ、第２の流出口１３ｂ、第３の流出口１３ｃを周方向に隔設して設けた例が示してある）。
【００３３】
弁本体８には回動弁体１１の通水孔２６に常時連通する流入孔２７が設けてあり、この流入孔２７は循環用水路２１の一部を構成する配管２１ｄによりポンプ６と連通接続してある。また、弁本体８の複数の流出口１３と複数の噴出口２との間の循環用水路２１部分は複数の分岐配管２１ａ、２１ｂ、２１ｃにより構成してあり、図に示す実施形態では第１の噴出口２ａと第１の流出口１３ａとが分岐配管２１ａにより連通接続してあり、第２の噴出口２ｂと第２の流出口１３ｂとが分岐配管２１ｂにより連通接続してあり、第３の噴出口２ｃと第３の流出口１３ｃとが分岐配管２１ｃにより連通接続してある。
【００３４】
ここで、ポンプ６をオンにした状態で回動弁体１１をモータ１０で回動することで、弁口１２が回動弁体１１の回動により第１の第１の流出口１３ａ、第２の流出口１３ｂ、第３の流出口１３ｃに順番に連通するようになっている。この場合、第１の流出口１３ａを例にとって説明すると、回動弁体１１の回動にしたがって、最初は第１の流出口１３ａの弁口１２との連通面積がゼロの状態から次第に広くなっていき、第１の流出口１３ａと弁口１２との連通面積が最大となり、その後、第１の流出口１３ａの弁口１２との連通面積が次第に狭くなっていって最後はゼロの状態となる。同様に、回動弁体１１の回動にしたがって、第２の流出口１３ｂも弁口１２との連通面積がゼロの状態から次第に広くなっていき、最大の連通面積となった後に、次第に狭くなっていって最後はゼロの状態となり、同様に、回動弁体１１の回動にしたがって、第３の流出口１３ｃも弁口１２との連通面積がゼロの状態から次第に広くなっていき、最大の連通面積となった後に、次第に狭くなっていって最後はゼロの状態となる。
【００３５】
このように各流出口１３の弁口１２との連通面積が変化していくのであるが、流出口１３の弁口１２との連通面積が変化すると、噴出口２から噴出する水流の水量が変化し、流速が変化することになる。つまり、上記連通面積が狭いと噴出口２から噴出する水量が少なく、流速も遅いが、連通面積が広くなっていくと噴出口２から噴出する水量が次第に多くなっていって流速が次第に速くなっていくものであり、逆に連通面積が狭くなっていくと噴出口２から噴出する水量が次第に減少していって流速が次第に遅くなっていくものである。
【００３６】
弁口１２と流出口１３との周方向の長さが同じ場合、連通面積が次第に広くなって連通面積が最大となるとこれをピークにして直ぐに連通面積が次第に狭くなっていくもので、これにより噴出口２から噴出する水流の流速の変化は図１１（ａ）に示すような山型のような変化となる。また、弁口１２、流出口１３のうちいずれか一方が他方よりも周方向の長さが長い場合、連通面積が次第に広くなって連通面積が最大となるとこの連通面積が最大となった状態が一定期間続き、一定期間後、連通面積が次第に狭くなっていくもので、これにより噴出口２から噴出する水流の流速の変化は図１１（ｂ）に示すような台形のような変化となる。
【００３７】
また、回動弁体１１を回動することで弁口１２が複数の流出口１３と順番に連通していって複数の噴出口２から順番に水流を噴出して入浴者Ｍの身体の異なる部位を順番にマッサージするのであるが、弁口１２の周方向の長さを周方向に隣接する流出口１３間の周方向の長さよりも長くすると、上記身体の異なる部位を水流によりマッサージする際に、図５乃至図７に示す実施形態や図８乃至図１０に示す実施形態のように、ある流出口１３から噴出する水流が次第に遅くなって行く動作に並行して他の流出口１３からゆっくりと水流が噴出し始めて次第に速くなるという動作が行われ、身体の異なる部位を水流でマッサージするに当たって異なる部位のマッサージが途切れることなくめりはりを持たせて連続して行えることになる。
【００３８】
上記複数の噴出口２を浴槽１に設けるに当たって、浴槽１に前述のように入浴者Ｍが一般的な入浴姿勢をとって入浴した場合、身体の異なる位置に在るツボにそれぞれの噴出口２から噴出する水流が当たってツボマッサージを行うことができるような位置に設けてもよい。
【００３９】
また、複数の噴出口２から水流を順番に噴出するに当たって、浴槽１に入浴者Ｍが一般的な入浴姿勢をとって入浴した場合に、心臓から遠い方（足先や手先に近い方）に位置する噴出口２から心臓に近い方の噴出口２にかけて順番に水流を噴出するようにしてもよい。これにより、リンパ管を心臓から遠い方から心臓に近い方にかけて順番に揉み上げてリンパ管内のリンパ液が心臓から遠い方から心臓側に向けての流れを促進し、リンパ液が足先や手先側に逆流したり、途中で滞留したりしないようにできて、効果的なリンパマッサージができる。
【００４０】
図１にはその一例が示してある。本実施形態では電動弁７として２つの電動弁７（下半身用の電動弁７ａと上半身用の電動弁７ｂ）を設けた例を示している。図１では更にポンプ６も上半身用のポンプ６ｂと下半身用のポンプ６ａとを設けてある。
【００４１】
また、図１には浴槽１の足先配置部１４側の側壁部１６ｂの下部に足先噴出用となる第１の噴出口２ａを配置し、浴槽１の底面部１９に足首脹脛噴出用となる第２の噴出口２ｂと膝裏噴出用となる第３の噴出口２ｃを配置してあり、上記足先噴出用となる第１の噴出口２ａ、足首脹脛噴出用となる第２の噴出口２ｂ、膝裏噴出用となる第３の噴出口２ｃがそれぞれ下半身用の電動弁７ａに連通してある。
【００４２】
更に、浴槽１の頭部配置部１５側の側壁部１６ａには腰・背中噴出用となる第１の噴出口２ａを配置し、更に、この側壁部１６ａには腕付け根噴出用となる第２の噴出口２ｂと肩噴出用の第３の噴出口２ｃを配置してあり、上記腰・背中噴出用となる第１の噴出口２ａ、腕付け根噴出用となる第２の噴出口２ｂ、肩噴出用の第３の噴出口２ｃがそれぞれ上半身用の電動弁７ｂに連通してある。
【００４３】
ここで、上記の構成の浴槽装置においては、足先噴出用となる第１の噴出口２ａ→足首脹脛噴出用となる第２の噴出口２ｂ→膝裏噴出用となる第３の噴出口２ｃ→腰・背中噴出用となる第１の噴出口２ａ→腕付け根噴出用となる第２の噴出口２ｂ→肩噴出用の第３の噴出口２ｃの順番で水流を噴出すると共にこのサイクルを繰り返すようにして入浴者Ｍの全身をリンパマッサージする全身噴出モードと、第１の噴出口２ａ→足首脹脛噴出用となる第２の噴出口２ｂ→膝裏噴出用となる第３の噴出口２ｃの順番で水流を噴出すると共にこのサイクルを繰り返すようにして入浴者Ｍの全身を下半身のリンパマッサージする下半身噴出モードと、腰・背中噴出用となる第１の噴出口２ａ→腕付け根噴出用となる第２の噴出口２ｂ→肩噴出用の第３の噴出口２ｃの順番で水流を噴出すると共にこのサイクルを繰り返すようにして入浴者Ｍの上半身をリンパマッサージする上半身噴出モードとを選択して運転できるようになっている。上記モードの切り替えは操作部に設けた切り換え手段２８で切り換え操作することで行うもので、切り換え手段２８おいておこなった切り換え操作の信号が制御部４に入力されて上記各モード切り替えがなされる。図中２９は電源である。
【００４４】
図５には全身噴出モードの動作を示しており、図６は下半身噴出モードの動作を示しており、図７は上半身噴出モードの動作を示している。図５、図６、図７において太線は各流出口１３から水が流れている状態を示し、水平な太線は該当する流出口１３が全開状態で水が流れ、右下がりの太線は該当する流出口１３が次第に弁口１２との連通面積が減りながら水が流れ、右上がりの太線は該当する流出口１３が次第に弁口１２との連通面積が増えながら水が流れている状態を示している。
【００４５】
下半身リンパマッサージモードの運転は、図６に示すように、まず、下半身用のポンプ６ａをオンにし、更に下半身用の電動弁７ａをオンにする（この場合上半身用のポンプ６ｂ、上半身用の電動弁７ａはオフである）と、図６に示すように足先噴出用となる第１の噴出口２ａ→足首脹脛噴出用となる第２の噴出口２ｂ→膝裏噴出用となる第３の噴出口２ｃの順に水流が噴出して入浴者Ｍの身体の足先部分、足首脹脛部分、膝裏部分の順に水流が当たって、これらの各部を順次水流によりマッサージをすると共に、足先側から腰の方に向かって順にリンパ管を揉み上げてリンパ管内のリンパ液をスムーズに流して下半身のリンパマッサージを行うことができる。
【００４６】
また、上半身リンパマッサージモードの運転は、図７に示すように、上半身用のポンプ６ｂをオンにし、更に上半身用の電動弁７ｂをオンにする（この場合下半身用のポンプ６ａ、下半身用の電動弁７ｂはオフである）と、図７に示すように腰・背中噴出用となる第１の噴出口２ａ→腕付根噴出用となる第２の噴出口２ｂ→肩噴出用となる第３の噴出口２ｃの順に水流が噴出して入浴者Ｍの身体の腰・背中部分、腕付根部分、肩部分の順に水流が当たって、これらの各部を順次水流によりマッサージをすると共に、腰側から肩の方に向かって順にリンパ管を揉み上げてリンパ管内のリンパ液をスムーズに流して上半身のリンパマッサージを行うことになる。
【００４７】
更に、全身リンパマッサージモードの運転は、図５に示すように、上記下半身リンパマッサージモードの１サイクルの運転に引き続いて上記上半身リンパマッサージ運転の１サイクルの運転を行い、以降これを繰り返すものである。
【００４８】
上記足先噴出用の第１の噴出口２ａから噴出する水流が内くるぶし下に在る添付図面で符号１００で示す「照海」というツボに当たるようにすると「照海」というツボマッサージができる。両内くるぶし下に在る「照海」というツボに水流が当たるようにするには、足先配置部１４側の側壁部１６ｂの下部の左右方向の中央部に足先噴出用の第１の噴出口２ａを配置して平面視で斜め方向に水流を噴出するように構成することで、内くるぶし下に在る「照海」というツボに水流を当てて「照海」のツボマッサージができる。この場合、足先噴出用の第１の噴出口２ａを水平視で首振り運動するように構成して両足の内くるぶし下に在る「照海」を順番にツボマッサージするようにしてもよい。もちろん、足先噴出用の第１の噴出口２ａから噴出する水流が足裏に当たるようにすると足裏に在るツボのマッサージができる。
【００４９】
また、足首脹脛噴出用の第２の噴出口２ｂから足首脹脛に水流を当てることで足首脹脛に在る添付図面で符号１０１、１０２で示す「三陰交」、「承山」というツボのツボマッサージができる。
【００５０】
更に、膝裏噴出用の第３の噴出口２ｃから膝裏に水流を当てることで膝裏に在る添付図面で符号１０３で示す「委中」というツボのツボマッサージができる。
【００５１】
同様に、腰・背中噴出用の第１の噴出口２ａから水流を噴出することで、腰や背中にあるツボのマッサージができるのであるが、ここで、腰・背中噴出用の第１の噴出口２ａを垂直面内で首振り自在とすると、腰・背中に在る添付図面で符号１０４、１０５、１０６、１０７で示す「腎兪」、「胃兪」、「肝兪」、「心兪」というツボに次々と水流が当たってこれらのツボマッサージをすることができる。
【００５２】
また、腕付根用の第２の噴出口２ｂから腕付根に水流を当てることで腕付根に在る添付図面で符号１０８で示す「天宗」というツボのツボマッサージというツボのツボマッサージができる。
【００５３】
更に、肩噴出用の第３の噴出口２ｃから肩に水流を当てることで肩に在る添付図面で符号１０９で示す「肩井」というツボのツボマッサージができる。
【００５４】
このようにしてリンパマッサージを行いながら同時に順番にツボマッサージを行うことができる。
【００５５】
そして、上記いずれのツボマッサージにおいても、図５、図６、図７に示すように回動弁体１１の回動により弁口１２と複数の流出口との連通状態が変化するようにした電動弁７を用いることで、図５、図６、図７の右上がりの太線で示すように入浴者のマッサージ対象の各ツボに対して水流が最初は弱く、次第に強く、最大の強さとなり、その後、図５、図６、図７の右下がりの太線で示すように次第に弱くなるように当たり、あたかも指でツボをマッサージするのに近いマッサージ感が得られることになる。
【００５６】
もちろん、上記以外のツボを狙って噴出口２から水流を噴出して該当箇所のツボをツボマッサージするようにしてもよい。
【００５７】
また、上記実施形態では下半身用の第１のポンプ６ａ、上半身用の第２のポンプ６ｂを設けた例を示したが、１つのポンプ６を用いて上記のようなツボマッサージを順番に行いながらリンパマッサージを行うようにしてもよい。
【００５８】
また、図５、図６、図７に示す実施形態では、第１のポンプ６ａをオンにして一定時間（ｔ）後に下半身用の電動弁７ａをオンしたり、あるいは、第２のポンプ６ｂをオンにして一定時間（ｔ）後に上半身用の電動弁７ｂをオンしたりするように制御部４により下半身用の電動弁７ａや上半身用の電動弁７ｂを制御する例を示しているが、図８、図９、図１０に示すように第１のポンプ６ａのオンと同時に下半身用の電動弁７ａをオンするように制御部４により制御すると共に、第２のポンプ６ａのオフと同時に下半身用の電動弁７ａをオフするように制御部４により制御したり、あるいは、第２のポンプ６ｂのオンと同時に上半身用の電動弁７ｂをオンするように制御部４により制御すると共に、第２のポンプ６ａのオフと同時に上半身用の電動弁７ｂをオフするように制御部４により制御したりしてもよい。
【００５９】
また、上記図１の実施形態は全身のマッサージが行えるようにした例を示したが、図２のように下半身のみのマッサージ（例えば前述と同様の下半身のリンパマッサージ）を行うようにしたものでもよく、あるいは図３のように上半身のみのマッサージ（例えば前述と同様の上半身のリンパマッサージ）を行うようにしたものでもよい。
【００６０】
また、上記実施形態では電動弁７に３つの流出口１３を設けて３つの噴出口２にそれぞれ連通させた例を示したが、２つ又は４つ以上の流出口１３を設けて２つ又は４つ以上の噴出口２に連通させてもよい。更に、電動弁７に１つの流出口１３を設けて１つの噴出口２に連通させてもよい。
【図面の簡単な説明】
【００６１】
【図１】本発明の一実施形態を示し、（ａ）は側断面図であり、（ｂ）は平面図である。
【図２】同上の他の実施形態を示し、（ａ）は側断面図であり、（ｂ）は平面図である。
【図３】同上の更に他の実施形態を示し、（ａ）は側断面図であり、（ｂ）は平面図である。
【図４】同上に用いる電動弁の一実施形態を示し、（ａ）は平面図であり、（ｂ）は回動弁体の断面図である。
【図５】同上の全身噴出モードの動作状態を示すタイムチャートである。
【図６】同上の下半身噴出モードの動作状態を示すタイムチャートである。
【図７】同上の上半身噴出モードの動作状態を示すタイムチャートである。
【図８】同上の全身噴出モードの動作状態を示すタイムチャートである。
【図９】同上の下半身噴出モードの動作状態を示すタイムチャートである。
【図１０】同上の上半身噴出モードの動作状態を示す他の実施形態のタイムチャートである。
【図１１】（ａ）（ｂ）はそれぞれ噴出口から噴出する水流の流速の変化を示すグラフである。
【符号の説明】
【００６２】
１  浴槽
２  噴出口
３  流速可変手段
６  ポンプ
７  電動弁
８  弁本体
９  孔
１０  モータ
１１  回動弁体
１２  弁口
１３  流出口
Ｍ  入浴者
【図１】
2006325993.tif 000003
【図２】
2006325993.tif 000004
【図３】
2006325993.tif 000005
【図４】
2006325993.tif 000006
【図５】
2006325993.tif 000007
【図６】
2006325993.tif 000008
【図７】
2006325993.tif 000009
【図８】
2006325993.tif 000010
【図９】
2006325993.tif 000011
【図１０】
2006325993.tif 000012
【図１１】
2006325993.tif 000013